【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
使用者を含む被写体の撮影を行う撮影ブースと、上記撮影ブース内において複数の撮影光軸で撮影しうるように構成された撮影手段とを備え、被写体の撮影位置を、撮影ブース内における複数箇所の壁面をバックとした複数箇所において撮影を行いうるようになっていることを特徴とする写真撮影装置。
【請求項２】
上記撮影手段が、撮影光軸の角度を変更することにより複数の撮影光軸で撮影しうるように構成されている請求項１記載の写真撮影装置。
【請求項３】
撮影ブース内に複数のバックスクリーンを存在させている請求項１または２記載の写真撮影装置。
【請求項４】
撮影ブースの出入り口がバックスクリーンとなりうるカーテンにより外部と仕切られている請求項１〜３のいずれか一項に記載の写真撮影装置。
【請求項５】
上記バックスクリーンが背景合成用のスクリーンである請求項３または４記載の写真撮影装置。
【請求項６】
上記撮影ブースを形成する内面に向かって閃光を照射する閃光照明装置を備え、上記閃光照明装置の壁面での反射光により被写体を撮影するように構成されている請求項１〜５のいずれか一項に記載の写真撮影装置。
【請求項７】
使用者を含む被写体の撮影を行う撮影ブースと、上記撮影ブース内において複数の撮影光軸で撮影しうるように構成された撮影手段とを準備し、被写体の撮影位置を、撮影ブース内における複数箇所の壁面をバックとした複数箇所において撮影を行うようにしたことを特徴とする写真撮影方法。
【手続補正２】
【補正対象書類名】明細書
【補正対象項目名】０００６
【補正方法】変更
【補正の内容】
【０００６】
【課題を解決するための手段】
上記目的を達成するため、本発明は、使用者を含む被写体の撮影を行う撮影ブースと、上記撮影ブース内において複数の撮影光軸で撮影しうるように構成された撮影手段とを備え、被写体の撮影位置を、撮影ブース内における複数箇所の壁面をバックとした複数箇所において撮影を行いうるようになっている写真撮影装置を第１の要旨とする。
【手続補正３】
【補正対象書類名】明細書
【補正対象項目名】０００７
【補正方法】変更
【補正の内容】
【０００７】
一方、上記目的を達成するために、本発明は、使用者を含む被写体の撮影を行う撮影ブースと、上記撮影ブース内において複数の撮影光軸で撮影しうるように構成された撮影手段とを準備し、被写体の撮影位置を、撮影ブース内における複数箇所の壁面をバックとした複数箇所において撮影を行うようにした写真撮影方法を第２の要旨とする。
【手続補正４】
【補正対象書類名】明細書
【補正対象項目名】０００９
【補正方法】変更
【補正の内容】
【０００９】
さらに、被写体が撮影ブース内を適当に移動できるように、撮影ブース内の床の広さや床面形状を設定しておくことにより、被写体は自己の撮影位置を複数箇所にわたって適宜選び、背景色等やスクリーン等との関係を好みに合わせてより一層豊富にすることができ、上記のような満足度を著しく高めることができる。このように、撮影位置が複数箇所になし得ることは、背景色等やスクリーンとの組合せ関係を多様化させるのに、非常に有効である。しかも、撮影ブース内の複数箇所の壁面をバックとして撮影を行いうるようになっているため、壁面を形成するブース素材の質感やその素材が有している色柄等を、上記の複数の撮影光軸や撮影位置によって最適な状態で活用できる。このようにして、できあがった写真は被写体と背景色等が最適の調和となる。
【手続補正５】
【補正対象書類名】明細書
【補正対象項目名】００１１
【補正方法】変更
【補正の内容】
【００１１】
一方、本発明の第２の要旨である写真撮影方法は、上記撮影ブース内において複数の撮影光軸で撮影しうるように構成された撮影手段を備え、合わせて、被写体の撮影位置を撮影ブース内における複数箇所において撮影を行いうるように構成されている。しかも、撮影ブース内の複数箇所の壁面をバックとして撮影を行いうるようになっている。
【手続補正６】
【補正対象書類名】明細書
【補正対象項目名】００１３
【補正方法】変更
【補正の内容】
【００１３】
本発明において、上記撮影手段が、撮影光軸の角度を変更することにより複数の撮影光軸で撮影しうるように構成されている場合には、被写体を種々な角度から撮影できるので、被写体と背景色等との相対位置をより豊かに選ぶことができて、満足度の高い写真が提供できる。また、被写体を種々な角度から撮影できることは、被写体の得意とするポーズアングルをカメラに対して取るのと同時に、背景色等に対しても得意なポーズを取ることが可能となる。
【手続補正７】
【補正対象書類名】明細書
【補正対象項目名】００１４
【補正方法】変更
【補正の内容】
【００１４】
本発明において、撮影ブース内に複数のバックスクリーンを存在させている場合には、複数のバックスクリーンを上記の複数の撮影光軸や撮影位置によって最適な状態で活用できる。このようにして、できあがった写真は被写体と背景色等が最適の調和となる。
【手続補正８】
【補正対象書類名】明細書
【補正対象項目名】００１５
【補正方法】変更
【補正の内容】
【００１５】
本発明において、撮影ブースの出入り口がバックスクリーンとなりうるカーテンにより外部と仕切られている場合には、カーテンにバックスクリーンとしての機能と外部との遮断機能とを果たさせることとなり、ブースの構成部材を多機能化するのに有効である。すなわち、本来バックスクリーンとしての機能が期待されていなかったブースの構成部材が、バックスクリーンの役割を果たしているのである。合わせて、カーテン内面の色合いと壁面を構成する素材の色合いを、同じまたは近似したものにしておくことにより、実質的にカーテンが存在しないような形態でバックスクリーンを形成することができる。
【手続補正９】
【補正対象書類名】明細書
【補正対象項目名】００１６
【補正方法】変更
【補正の内容】
【００１６】
本発明において、上記バックスクリーンが背景合成用のスクリーンである場合には、被写体画像とバックスクリーンの表面状態とを明確に識別した上で、例えば、背景色等記憶手段から読み出された背景色等と合成するのに好適である。特に、上記のカーテンがバックスクリーンの１部を形成しているという構成のもとでは、カーテンの存在に影響されることなく、本来のバックスクリーンの機能を十分に発揮させることができる。
【手続補正１０】
【補正対象書類名】明細書
【補正対象項目名】００１７
【補正方法】変更
【補正の内容】
【００１７】
本発明において、上記撮影ブースを形成する内面に向かって閃光を照射する閃光照明装置を備え、上記閃光照明装置の壁面での反射光により被写体を撮影するように構成されている場合には、上記反射光が撮影ブース内に無数の方向性をもって被写体に照射されるので、被写体には影にともなう陰影がほとんどなくなり、はつらつとした明るさに満ちた写真が得られる。そして、このような写真が、上述のように複数の撮影光軸や複数の撮影箇所の利点と複合することにより、より新鮮味の高い写真が完成する。
【手続補正１１】
【補正対象書類名】明細書
【補正対象項目名】００１８
【補正方法】変更
【補正の内容】
【００１８】
本発明において、上記撮影手段が、撮影ブース内に突出するよう設けられている場合には、撮影手段が突出していることにより撮影光軸の向きを潤沢に確保できる。もし、透明ガラスの背後に撮影手段が配置されているような場合であれば、透明ガラスの周縁部材が撮影光軸を妨げることになり、上記のような利点が得られなくなる。また、上記の突出により撮影光軸の変化を確保するための機構的なスペースが十分に求められる。
【手続補正１２】
【補正対象書類名】明細書
【補正対象項目名】００１９
【補正方法】変更
【補正の内容】
【００１９】
本発明において、撮影ブースの天井面近傍にミラーが設けられ、上記ミラーに反射する被写体を撮影しうるように構成されている場合には、被写体の反射像をミラーを介して撮影手段に収録するので、撮影手段を撮影ブースの上方に配置する必要がなく、構造簡素化と原価低減にとって有効である。また、被写体は空を見上げたようなポーズを取ることができるので、写真のバリエーションが幅広くなる。
【手続補正１３】
【補正対象書類名】明細書
【補正対象項目名】００２０
【補正方法】変更
【補正の内容】
【００２０】
本発明において、上記ミラーがハーフミラーである場合には、被写体の反射光の強度が低減された状態で撮影されるので、できあがった被写体画像は、明るさが押えられたトーンのものとなり、独特な味合いがかもし出せる。
【手続補正１４】
【補正対象書類名】明細書
【補正対象項目名】００２１
【補正方法】変更
【補正の内容】
【００２１】
本発明において、上記ミラーが湾曲ミラーである場合には、被写体が湾曲ミラーの湾曲形状や湾曲度合いに応じて変形した被写体画像となるので、コミカルな写真が湾曲ミラーの特質を生かして入手することができる。
【手続補正１５】
【補正対象書類名】明細書
【補正対象項目名】００２２
【補正方法】変更
【補正の内容】
【００２２】
本発明において、上記ミラーが凸面鏡である場合には、凸面鏡独特の特定箇所を拡大した被写体画像となるので、被写体自体の個性を強調した写真が得られる。
【手続補正１６】
【補正対象書類名】明細書
【補正対象項目名】００２３
【補正方法】変更
【補正の内容】
【００２３】
本発明において、撮影ブース内の撮影領域における光量が実質的に均一になるよう設定されている場合には、撮影ブース内で撮影する箇所のどこであっても閃光照明の光量が実質的に均一化されるので、バックスクリーンに影ができたりせず、他の背景画像との合成が首尾よく行えて、上述のような良好な写真が入手できる。特に、撮影ブース内の撮影領域における光量の適正化であるから、いわゆる必要な箇所の光量制御を行えばよく、したがって、閃光照明装置の配置個数や照明光度を合理的に選定し、照明手段の簡素化や原価低減にとって有効である。
【手続補正１７】
【補正対象書類名】明細書
【補正対象項目名】００２４
【補正方法】削除
【補正の内容】
【手続補正１８】
【補正対象書類名】明細書
【補正対象項目名】００９３
【補正方法】変更
【補正の内容】
【００９３】
さらに、被写体が撮影ブース内を適当に移動できるように、撮影ブース内の床の広さや床面形状を設定しておくことにより、被写体は自己の撮影位置を複数箇所にわたって適宜選び、背景色等やスクリーン等との関係を好みに合わせてより一層豊富にすることができ、上記のような満足度を著しく高めることができる。このように、撮影位置が複数箇所になし得ることは、背景色等やスクリーンとの組合せ関係を多様化させるのに、非常に有効である。しかも、撮影ブース内の複数箇所の壁面をバックとして撮影を行いうるようになっているため、壁面を形成するブース素材の質感やその素材が有している色柄等を、上記の複数の撮影光軸や撮影位置によって最適な状態で活用できる。このようにして、できあがった写真は被写体と背景色等が最適の調和となる。